(57)【要約】【課題】その幅方向が前後方向となるように回動可能な吸口体において、吸口体の幅方向が前後方向より長い状態で吸口体を用いる通常使用時に吸口体の方向を安定させることができる、電気掃除機を提供する。【解決手段】本発明の吸口体２００は、幅方向より前後方向の長さが短い吸口体本体３００と、吸口体本体３００上に水平方向に回動自在に接続された基部４００と、基部４００に上下方向に回動自在に接続された第一連結管６００、７００と、第一連結管に上下方向に回動自在に接続され、その後端部に延長管が接続される第二連結管８００とを有している。吸口体本体３００は、第一連結管の両側に位置して第一連結管に係合し、基部４００の回動を規制する一対の係合部３９１を含み、係合部３９１は、第一連結管を上方向に回動させることで第一連結管との係合が解除されるような高さに構成されている。【選択図】図７
2008043489.tif 000002
【特許請求の範囲】
【請求項１】
床面の塵埃を吸い込む吸口体と、前記吸口体に接続される延長管および延長ホースと、前記延長ホースに接続される電気掃除機本体とを備え、
前記吸口体は、
幅方向より前後方向の長さが短い吸口体本体と、
前記吸口体本体上に水平方向に回動自在に接続された基部と、
前記基部に上下方向に回動自在に接続された第一連結管と、
前記第一連結管に上下方向に回動自在に接続され、その後端部に前記延長管が接続される第二連結管と、を有し、
前記吸口体本体は、前記第一連結管の両側に位置して該第一連結管に係合し、前記基部の回動を規制する一対の係合部を含み、
前記係合部は、前記第一連結管を上方向に回動させることで前記第一連結管との係合が解除されるような高さに構成されており、前記係合部と前記第一連結管との係合を解除することで前記基部の回動が可能となり、前記吸口体の幅方向が前後方向となるように前記吸口体を回動させることが可能な、電気掃除機。
【請求項２】
前記吸口体は、前記基部の回動を所定位置で仮保持する仮保持具をさらに有する、請求項１に記載の電気掃除機。
【請求項３】
前記第一連結管は先端側第一連結管と後端側第一連結管とに分割されており、該先端側第一連結管と後端側第一連結管とは前記第一連結管が延びる方向を回転軸として相互に回動可能に連結されている、請求項１または２に記載の電気掃除機。
【発明の詳細な説明】
【技術分野】
【０００１】
この発明は、床面の塵埃を吸い込む吸口体と、吸口体に接続される延長管および延長ホースと、延長ホースに接続される電気掃除機本体とを備えた電気掃除機に関する。
【背景技術】
【０００２】
電動掃除機に用いられる吸口体は、前後方向より幅方向が広くなるように構成され、通常の掃除においてはその状態で使用される。このような吸口体において、清掃箇所の幅が狭い場合に対応できるよう、吸口体の幅方向を前後方向とするように回動することができるものがある（特許文献１参照）。すなわち、吸口体に接続される延長管に対して、吸口体を９０°回転させることができるようにしたものがある。
【特許文献１】特開２００４−１０５２７５号公報
【発明の開示】
【発明が解決しようとする課題】
【０００３】
吸口体を回動させることで、清掃箇所の幅が狭い場合でも清掃可能となる。しかし、このような吸口体においては、この回動機構のため通常の清掃において吸口体が揺動し、吸口体の方向が安定しにくいという問題点があった。
【０００４】
この発明は、上記課題を解決するためになされたものであり、その幅方向が前後方向となるように回動可能な吸口体を備えた電気掃除機において、吸口体の幅方向が前後方向より長い状態で吸口体を用いる通常使用時に吸口体の方向を安定させることができる、電気掃除機を提供することを目的とする。
【課題を解決するための手段】
【０００５】
この発明に基づいた電気掃除機に従えば、床面の塵埃を吸い込む吸口体と、上記吸口体に接続される延長管および延長ホースと、上記延長ホースに接続される電気掃除機本体とを備えている。上記吸口体は、幅方向より前後方向の長さが短い吸口体本体と、上記吸口体本体上に水平方向に回動自在に接続された基部と、上記基部に上下方向に回動自在に接続された第一連結管と、上記第一連結管に上下方向に回動自在に接続され、その後端部に上記延長管が接続される第二連結管とを有している。上記吸口体本体は、上記第一連結管の両側に位置して該第一連結管に係合し、上記基部の回動を規制する一対の係合部を含み、上記係合部は、上記第一連結管を上方向に回動させることで上記第一連結管との係合が解除されるような高さに構成されており、上記係合部と上記第一連結管との係合を解除することで上記基部の回動が可能となり、上記吸口体の幅方向が前後方向となるように上記吸口体を回動させることが可能である。
【０００６】
上記電気掃除機において、上記吸口体は、上記基部の回動を所定位置で仮保持する仮保持具をさらに有してもよい。
【０００７】
上記電気掃除機において、上記第一連結管は先端側第一連結管と後端側第一連結管とに分割されており、該先端側第一連結管と後端側第一連結管とは上記第一連結管が延びる方向を回転軸として相互に回動可能に連結されていてもよい。
【発明の効果】
【０００８】
本発明に係る電気掃除機によると、幅方向が前後方向より長い通常の使用状態で吸口体を用いる時に吸口体の方向を安定させることができる。
【発明を実施するための最良の形態】
【０００９】
以下、この発明に基づいた各実施の形態における電気掃除機の構造について、図を参照しながら説明する。
【００１０】
図１は、本実施の形態の電気掃除機の構造を示す斜視図である。本実施の形態の電気掃除機は、床面の塵埃を吸い込む吸口体２００と、吸口体２００に接続される延長管１３０および延長ホース１２０と、延長ホース１２０に接続される電気掃除機本体１１０とを備えている。
【００１１】
電気掃除機本体１１０は、負圧を発生させる、図示しないモータやファンなどからなる負圧発生源を備えている。この電気掃除機本体１１０に接続された延長ホース１２０および延長管１３０は、この負圧発生源に連通している。負圧発生源により発生した負圧により、延長管１３０に接続された吸口体２００から床面の塵埃を吸引することができる。
【００１２】
図２は本実施の形態の吸口体の分解斜視図であり、図３は本実施の形態の吸口体の縦断面図である。図２に示すように、本実施の形態の吸口体は、吸口体本体３００と、基部４００と、連結管５００とで構成されている。
【００１３】
吸口体本体３００は、前後方向より幅方向が長い平面視矩形に構成されている。吸口体本体３００は、下カバー３１０と上カバー３９０とを有している。下カバー３１０の下面側には回転ブラシ３５０がキャップ３６０により回動自在に取り付けられている。
【００１４】
また、下カバー３１０の内部には、回転ブラシ３５０を駆動するモータ３２０が取り付けられている。回転ブラシ３５０とモータ３２０とは図示しない駆動ベルトで連結されている。下カバー３１０の前面側には、衝突の衝撃を軽減するバンパ部材３６５が取り付けられている。
【００１５】
下カバー３１０の中央部には、円形リブ３３０に囲まれた開口部が設けられている。この開口部は、下カバー３１０の下面に開口した塵埃吸引口に連通している。下カバー３１０の上面を閉塞するように上カバー３９０が取り付けられる。上カバー３９０には、上向きに突出した突起状の係合部３９１が一対設けられている。
【００１６】
円形リブ３３０に適合するように下カバー３１０には、上部材４０１と下部材４１０からなる基部４００が水平方向に回動自在に取り付けられる。基部４００は、その外周側に係合する円形フレーム状の押え具３８０により下カバー３１０に取り付けられている。
【００１７】
基部４００の一部は矩形に窪んでおり、その窪み部分には、気密を確保しながら連結管５００の先端部が挿入される。連結管５００の先端には両側面に突出する軸６２０が設けられている。軸６２０は、上部材４０１および下部材４１０に挟み込まれて回動自在に保持される。これにより、連結管５００は、基部４００に上下方向に回動自在に保持される。
【００１８】
連結管５００の先端部の上面にはリブ６１０が設けられており、これが基部４００の上部材４０１の内面に接触することで、連結管５００と基部４００との気密が保持されている。連結管５００の先端部の側面は、基部４００の窪みの内側面に隙間無く接触している。図３に示すように、下カバー３１０の後端部にはローラ３５５が設けられている。
【００１９】
図４は、本実施の形態の連結管の構造を示す分解斜視図である。連結管５００は、その先端側を構成する、第一連結管と、後端側を構成する第二連結管８００とに分割されている。さらに、第一連結管は、先端側第一連結管６００と後端側第一連結管７００とに分割されている。
【００２０】
先端側第一連結管６００は、その本体と、その上面にねじ止めされる上面構成部材６５０とで構成されている。先端側第一連結管６００の本体の先端側は断面矩形の筒状に構成されている。先端側第一連結管６００の本体の先端部両側面に軸６２０が設けられており、また、その先端部上面にリブ６１０が設けられている。
【００２１】
また、先端側第一連結管６００の本体の後部には、円筒状に構成された円筒状連結部６３０が形成されている。円筒状連結部６３０を介して後端側第一連結管７００が接続される。さらに、先端側第一連結管６００の本体の下面側には軸受部６４０が設けられている。軸受部６４０には、床面上を転動する補助輪６６０が回動自在に取り付けられている。
【００２２】
後端側第一連結管７００は、本体７２０と蓋部材７４０とで構成されている。本体７２０の先端側には、円環状のリング部材７１０が設けられている。リング部材７１０の内側に、先端側第一連結管６００の円筒状連結部６３０の先端部が挿入される。これにより、リング部材７１０の内周面に沿って円筒状連結部６３０が回動可能に接続される。
【００２３】
後端側第一連結管７００の後端部には、第二連結管８００が上下方向に回動自在に連結されている。具体的には、本体７２０と蓋部材７４０とにより、第二連結管８００の先端の軸８１０が回動自在に挟み込まれる。本体７２０と蓋部材７４０とは、ねじ孔７３０を貫通するビスにより固定される。
【００２４】
第二連結管８００は、第二連結管本体８２０と第二連結管蓋部材８５０とで構成されている。第二連結管本体８２０の先端部両側面には、軸８１０が設けられている。軸８１０は前述のように、後端側第一連結管７００に回動自在に保持される。
【００２５】
第二連結管蓋部材８５０は、ビスにより第二連結管本体８２０に固定される。第二連結管蓋部材８５０と第二連結管本体８２０との間には、延長管１３０に接続される電極が保持される。第二連結管８００の後端部には、延長管１３０が連結される。
【００２６】
図５は、吸口体の構造を示す平面図である。上述のように、上部材４０１および下部材４１０からなる基部４００は、水平方向に回動可能に構成されている。図２および図３には図示していないが、吸口体本体３００には、バネ３１６に付勢されて突出、後退可能に構成された保持具３１５が設けられている。
【００２７】
保持具３１５は、基部４００の下部材４１０に設けられた窪み４１１に、バネ３１６に付勢されて挿入されている。これにより、吸口体本体３００がむやみに回動しないように、基部４００が吸口体本体３００に対して仮保持されている。基部４００を強く回動させることで、バネに付勢された保持具３１５が後退し、基部４００の仮保持が解除される。
【００２８】
窪み４１１は、相互に９０度をなす方向に三箇所設けられている。これにより、吸口体本体３００が通常使用される方向と、その方向から右回りに回転して幅方向を前後方向とする方向と、逆に左回りに回転して幅方向を前後方向とする方向の三つの方向で、吸口体本体３００を仮保持することができる。
【００２９】
図６から図８および図１０は、本実施の形態の吸口体の動作を示す斜視図、図９は、同平面図である。吸口体本体３００を、通常使用時の状態から、幅方向を前後方向とする方向に転換する手順について説明する。
【００３０】
図６は、通常使用状態の吸口体２００を示している。この状態では、基部４００に対して先端側第一連結管６００を上下方向に回動させること、先端側第一連結管６００と後端側第一連結管７００とを相互に捻る方向に回動させること、後端側第一連結管７００に対して第二連結管８００を上下方向に回動させることが可能である。
【００３１】
一方、先端側第一連結管６００は、両側に位置する係合部３９１に係合しており、基部４００の回動は規制されている。これにより、通常使用される方向に吸口体本体３００と第一連結管の先端側第一連結管６００とが固定される。その結果、通常使用される状態では吸口体を安定して使用することができる。
【００３２】
吸口体本体３００を幅方向が前後方向とする方向に回動させるときは、まず、図７および図８に示すように、先端側第一連結管６００および後端側第一連結管７００が持ち上がるように、延長管１３０を持ち上げる。先端側第一連結管６００が持ち上げられることで、先端側第一連結管６００と係合部３９１の係合が解除される。言い換えると、係合部３９１の高さは、先端側第一連結管６００を持ち上げることで、その係合が解除されるような高さとしている。
【００３３】
これにより、基部４００の回動が可能となる。この状態で吸口体本体３００を中心として延長管１３０を回動させるか、或いは吸口体本体３００を延長管および連結管５００に対して回動させることで、吸口体本体３００を、図９および図１０に示すようなその幅方向が前後方向となる方向とすることができる。この状態でも上述の保持具３１５により基部４００の回動は仮保持される。
【００３４】
このように、本実施の形態の吸口体２００においては、延長管１３０を持ち上げて、延長管１３０または吸口体本体３００を回すだけの簡単な操作で、吸口体本体３００を９０°回転させることができる。また、通常使用状態においては、先端側第一連結管６００は、両側に位置する係合部３９１に係合しているので、吸口体２００を安定した状態で使用することができる。
【００３５】
本実施の形態の吸口体２００においては、図５で示した、保持具３１５が設けられている。これにより、吸口体本体３００と基部４００とは、通常使用状態およびその幅方向が前後方向となる方向において仮保持される。先端側第一連結管６００と係合部３９１との係合が解除されても、吸口体本体３００が仮保持されているので、吸口体本体３００がむやみに回転することはない。
【００３６】
図１１は、本実施の形態の吸口体本体を首振り動作させる状態を示す斜視図である。次に、本実施の形態の吸口体本体３００を首振りさせる動作について説明する。この首振り動作は広い面を清掃する作業において特に有効である。通常、広い面を清掃する場合には、吸口体２００で平行な筋を描くように床面上を滑らせて清掃する。清掃中の列から次の列に移るときには、方向転換が必要となる。
【００３７】
特に、床面がカーペット敷きなどで吸口体本体３００が吸い付きやすい場合には、その方向転換が容易に行なえることが好ましい。本実施の形態の吸口体２００においては、延長管１３０をその軸回りに捻ることで、図１１に示すように吸口体本体３００を容易に方向転換することができる。
【００３８】
そのメカニズムは次のとおりである。延長管１３０を回動させると、第二連結管８００がそれに伴なって回動する。このとき、第二連結管８００と、後端側第一連結管７００とは上下方向に回動自在に連結されているので、その角度が変化しながら後端側第一連結管７００が首振り運動する。
【００３９】
同時に、後端側第一連結管７００と先端側第一連結管６００とは、第一延長管が延びる方向を回転軸として回動可能に連結されているので、相互に捻れながら首振り運動する。後端側第一連結管７００と先端側第一連結管６００とが、相互に捻れながら首振り運動するので、吸口体本体３００を床面から浮き上がらせるような回転力は生じない。これにより、吸口体本体３００は床面に載置された状態のままで首振り運動する。
【００４０】
本実施の形態においては、このように吸口体本体３００に無理な力を加えることなく首振り運動させることができる。したがって、延長管１３０を捻る動作によって容易に吸口体本体３００を首振り運動させることができる。
【００４１】
本実施の形態の吸口体２００においては、首振り動作を容易にするため、後端側第一連結管７００と先端側第一連結管６００とを、第一連結管が延びる方向を回転軸として回動可能に連結したが、首振り動作が必要でない場合には、これらを一体に構成しても良い。
【００４２】
なお、今回開示した上記実施の形態はすべての点で例示であって、限定的な解釈の根拠となるものではない。したがって、本発明の技術的範囲は、上記した実施の形態のみによって解釈されるのではなく、特許請求の範囲の記載に基づいて画定される。また、特許請求の範囲と均等の意味および範囲内でのすべての変更が含まれる。
【図面の簡単な説明】
【００４３】
【図１】この発明に基づいた実施の形態における電気掃除機の構造を示す斜視図である。
【図２】この発明に基づいた実施の形態における吸口体の分解斜視図である。
【図３】この発明に基づいた実施の形態における吸口体の縦断面図である。
【図４】この発明に基づいた実施の形態における連結管の構造を示す分解斜視図である。
【図５】この発明に基づいた実施の形態における吸口体の構造を示す平面図である。
【図６】この発明に基づいた実施の形態における吸口体の動作を示す斜視図である。
【図７】この発明に基づいた実施の形態における吸口体の動作を示す斜視図である。
【図８】この発明に基づいた実施の形態における吸口体の動作を示す斜視図である。
【図９】この発明に基づいた実施の形態における吸口体の動作を示す平面図である。
【図１０】この発明に基づいた実施の形態における吸口体の動作を示す斜視図である。
【図１１】この発明に基づいた実施の形態における吸口体本体を首振り動作させる状態を示す斜視図である。
【符号の説明】
【００４４】
１１０  電気掃除機本体、１２０  延長ホース、１３０  延長管、２００  吸口体、３００  吸口体本体、３１０  下カバー、３１５  保持具、３１６  バネ、３２０  モータ、３３０  円形リブ、３５０  回転ブラシ、３５５  ローラ、３６０  キャップ、３６５  バンパ部材、３８０  押え具、３９０  上カバー、３９１  係合部、４００  基部、４０１  上部材、４１０  下部材、５００  連結管、６００  先端側第一連結管、６１０  リブ、６２０  軸、６３０  円筒状連結部、６４０  軸受部、６５０  上面構成部材、６６０  補助輪、７００  後端側第一連結管、７１０  リング部材、７２０  本体、７３０  ねじ孔、７４０  蓋部材、８００  第二連結管、８１０  軸、８２０  第二連結管本体、８５０  第二連結管蓋部材。
【図１】
2008043489.tif 000003
【図２】
2008043489.tif 000004
【図３】
2008043489.tif 000005
【図４】
2008043489.tif 000006
【図５】
2008043489.tif 000007
【図６】
2008043489.tif 000008
【図７】
2008043489.tif 000009
【図８】
2008043489.tif 000010
【図９】
2008043489.tif 000011
【図１０】
2008043489.tif 000012
【図１１】
2008043489.tif 000013